(57)【要約】【課題】遠心ファンを用いた空気清浄機をコンパクトなものとする。【解決手段】空気清浄機のケーシングＡ内の中央部に遠心ファン２６を設け、ケーシングの正面カバー２０の両側部に吹き出し口２１を設け、遠心ファンの羽根車２６ａから送り出される空気は両側に設けた吐出通路Ｂのスクロール壁１１ａ，１１ｂで受け各吹き出し口に導いて正面に向けて吹き出し、また吸入通路Ｃ１，Ｃ２はケーシングの背面および側面から吸入した空気を羽根車に供給する。遠心ファンの吸入側の直前に設けた集塵フィルタ２７と正面カバーの中央部内面との間に吸入通路を形成し、吹き出し口の内側となる各吐出通路の末端部に脱臭フィルタ２８を設ける。脱臭フィルタは光触媒を用いたものとし、この光触媒を活性化する紫外線照射器２８ａは吐出通路Ｂ内に設けるのがよい。また脱臭フィルタは整流作用があるハニカム構造のものとするのがよい。【選択図】    図２
2004160374.tif 000002
【特許請求の範囲】
【請求項１】
ケーシング内に、遠心ファンを設けるとともに、この遠心ファンの羽根車の外周からの距離が同羽根車の回転方向に沿って次第に増大するスクロール壁により前記羽根車から送り出される空気を案内して吹き出し口に導く吐出通路を形成し、前記ケーシングの空気吸入口から前記羽根車に空気を導入する吸入通路および前記吐出通路の少なくとも何れか一方にフィルタを設けてなる、建物などの壁に取り付けて使用する空気清浄機において、前記遠心ファンの羽根車は前記ケーシングの中央部に設け、前記吹き出し口は前記ケーシングの正面カバーの両側部に設け、前記吐出通路は前記羽根車の両側に設けられて前記羽根車から送り出される空気を前記羽根車の回転方向の所定位置から前記両側部の各吹き出し口に送り込んで正面に向けて吹き出し、前記吸入通路は前記ケーシングの背面および側面の少なくとも何れか一方から空気を吸入するよう構成したことを特徴とする空気清浄機。
【請求項２】
請求項１に記載の空気清浄機において、前記遠心ファンの吸入側の直前を覆う集塵フィルタを設けてこの集塵フィルタと前記正面カバーの中央部内面との間に前記吸入通路を形成し、前記正面カバーの両側部に形成した前記吹き出し口の内側となる前記吐出通路の末端部に脱臭フィルタを設けたことを特徴とする空気清浄機。
【請求項３】
請求項２に記載の空気清浄機において、前記脱臭フィルタは光触媒を用いたものとし、前記脱臭フィルタに紫外線を照射する紫外線照射器は前記吐出通路の末端部の手前側となる前記吐出通路内に設けたことを特徴とする空気清浄機。
【請求項４】
請求項２または請求項３に記載の空気清浄機において、前記脱臭フィルタは、正面に向かう方向と平行に配設された小さい通路幅を有する多数のセル通路を備えたハニカム構造であることを特徴とする空気清浄機。
【請求項５】
請求項１〜請求項３の何れか１項に記載の空気清浄機において、前記吸入通路は、前記ケーシングの背面に形成した第１の空気吸入口と側面に形成した第２の空気吸入口の両方から互いに異なる場所の空気を吸入するものとし、前記吸入通路の一部に前記各空気吸入口から吸入される空気量の比率を変更するシャッタを設けたことを特徴とする空気清浄機。
【請求項６】
ケーシング内に遠心ファンと、空気吸入口から吸入される空気を前記遠心ファンに導く吸入通路と、前記遠心ファンから吐出される空気を吹き出し口に導く吐出通路と、前記吸入通路と吐出通路の少なくとも何れか一方に設けたフィルタを備えてなる、建物の壁に取り付けて使用する空気清浄機において、
中央部に前記遠心ファンの羽根車が配設された前記吐出通路は、前記羽根車の回転軸線を挟んで対称に配置されて前記羽根車の外周からの距離が該羽根車の回転方向に沿って次第に増大する１対のスクロール壁により形成され、
前記スクロール壁の一部は、前記前記羽根車の回転軸線方向から見た状態において、前記ケーシング内の所定の長方形領域の輪郭に接するように配置し、
前記羽根車の略接線方向に延びて前記吹き出し口に導かれる前記吐出通路の各先端部の形状は、前記前記羽根車の回転軸線方向から見て、前記長方形領域の輪郭と実質的に一致させたことを特徴とする空気清浄機。
【請求項７】
請求項６に記載の空気清浄機において、前記所定の長方形領域は、前記ケーシングの外側板により規定される長方形領域であることを特徴とする空気清浄機。
【請求項８】
請求項６または請求項７に記載の空気清浄機において、前記前記羽根車の回転軸線方向から見て前記長方形領域内の前記吐出通路以外の領域に、空気清浄機の作動を制御する制御装置と前記吸入通路の少なくとも何れか一方を配設したことを特徴とする空気清浄機。
【発明の詳細な説明】
【０００１】
【発明の属する技術分野】
本発明は空気清浄機、特に建物などの壁に取り付けて使用するのに適した小形でコンパクトな空気清浄機に関する。
【０００２】
【従来の技術】
空気清浄機用の遠心ファンとしては、通常は１つの吹き出し口を有する片側吹き出し構造のものが使用されている。この片側吹き出し構造の遠心ファンでは、羽根車から送り出される空気を案内するスクロールは、羽根車の外周に最も接近したタング部から回転方向で約３００度にわたり羽根車の外周からの距離が次第に増大するようになっている（例えば、特許文献１参照）。これに対し車両用空気清浄器では、羽根車の両側にスクロールを設けて、空気清浄器の正面の両側部に設けた吹出口から空気を吹き出すようにしたものもある（例えば、特許文献２参照）。また集塵装置と脱臭装置を重ねて配設したものもある（例えば、特許文献３参照）。
【０００３】
【特許文献１】
特許第４１１４２６５号公報（図１、図４）
【０００４】
【特許文献２】
特開２００１−１０５８４８公報（図１、図２、図４、図５、図７）。
【０００５】
【特許文献３】
特開平１１−４７５５６号公報（図１、図２）。
【０００６】
【発明が解決しようとする課題】
上述した特許文献１の空気清浄機の遠心ファンでは、スクロールにおける羽根車の外周からの最大値が大きなものとなるので、スクロールを含む遠心ファンを収納するケーシングが大きくなり、このような遠心ファンを使用した空気清浄機は、小形でコンパクトなものとすることが困難であるという問題がある。特許文献２の技術はこのような問題を解決するものであり、これによれば羽根車の外周からの距離が次第に増大するスクロールの角度範囲が９０度程度になるので、空気清浄器を小形でコンパクトなものとすることができる。しかしながらこの空気清浄器では、正面の両側部に設けた吹出口の間に空気を吸入する吸込口を設けており、吹出口と吸込口の間の距離が近いので、清浄化されて吹出口から吹き出された空気の一部が直ちに吸込口から吸い込まれ、このため空気清浄化の効率が悪くなるという問題がある。
【０００７】
また空気清浄機は、集塵用のフィルタだけでなく脱臭用のフィルタも備えたものとすることが好ましく、特許文献３の技術はこのような問題を解決するものであるが、これは集塵装置と脱臭装置を重ねて配設しているので厚さが大となり、このため集塵フィルタと脱臭フィルタを備えた空気清浄機を小形でコンパクトなものとすることが困難であるという問題があった。本発明はこのような各問題を解決することを目的とする。
【０００８】
【課題を解決するための手段】
このために、本発明による空気清浄機は、ケーシング内に、遠心ファンを設けるとともに、この遠心ファンの羽根車の外周からの距離が同羽根車の回転方向に沿って次第に増大するスクロール壁により羽根車から送り出される空気を案内して吹き出し口に導く吐出通路を形成し、ケーシングの空気吸入口から羽根車に空気を導入する吸入通路および吐出通路の少なくとも何れか一方にフィルタを設けてなる、建物などの壁に取り付けて使用する空気清浄機において、遠心ファンの羽根車はケーシングの中央部に設け、吹き出し口はケーシングの正面カバーの両側部に設け、吐出通路は羽根車の両側に設けられて羽根車から送り出される空気を羽根車の回転方向の所定位置から両側部の各吹き出し口に送り込んで正面に向けて吹き出し、吸入通路はケーシングの背面および側面の少なくとも何れか一方から空気を吸入するよう構成したことを特徴とするものである。
【０００９】
前項に記載の空気清浄機は、遠心ファンの吸入側の直前を覆う集塵フィルタを設けてこの集塵フィルタと正面カバーの中央部内面との間に吸入通路を形成し、正面カバーの両側部に形成した吹き出し口の内側となる吐出通路の末端部に脱臭フィルタを設けることが好ましい。
【００１０】
前項に記載の空気清浄機の脱臭フィルタは光触媒を用いたものとし、脱臭フィルタに紫外線を照射する紫外線照射器は吐出通路の末端部の手前側となる吐出通路内に設けることが好ましい。
【００１１】
前２項に記載の空気清浄機の脱臭フィルタは、正面に向かう方向と平行に配設された小さい通路幅を有する多数のセル通路を備えたハニカム構造とすることが好ましい。
【００１２】
前各項に記載の空気清浄機において、吸入通路は、ケーシングの背面に形成した第１の空気吸入口と側面に形成した第２の空気吸入口の両方から互いに異なる場所の空気を吸入するものとし、吸入通路の一部に各空気吸入口から吸入される空気量の比率を変更するシャッタを設けることが好ましい。
【００１３】
また請求項６の発明による空気清浄機は、ケーシング内に遠心ファンと、空気吸入口から吸入される空気を遠心ファンに導く吸入通路と、遠心ファンから吐出される空気を吹き出し口に導く吐出通路と、吸入通路と吐出通路の少なくとも何れか一方に設けたフィルタを備えてなる、建物の壁に取り付けて使用する空気清浄機において、中央部に遠心ファンの羽根車が配設された吐出通路は、羽根車の回転軸線を挟んで対称に配置されて羽根車の外周からの距離が該羽根車の回転方向に沿って次第に増大する１対のスクロール壁により形成され、スクロール壁の一部は、羽根車の回転軸線方向から見た状態において、ケーシング内の所定の長方形領域の輪郭に接するように配置し、羽根車の略接線方向に延びて吹き出し口に導かれる吐出通路の各先端部の形状は、羽根車の回転軸線方向から見て、長方形領域の輪郭と実質的に一致させたことを特徴とするものである。
【００１４】
前項に記載の空気清浄機における所定の長方形領域は、ケーシングの外側板により規定される長方形領域とすることが好ましい。
【００１５】
前２項に記載の空気清浄機は、羽根車の回転軸線方向から見て長方形領域内の吐出通路以外の領域に、空気清浄機の作動を制御する制御装置と吸入通路の少なくとも何れか一方を配設することが好ましい。
【００１６】
【発明の作用および効果】
上述のように、請求項１の発明によれば、遠心ファンの羽根車はケーシングの中央部に設け、吹き出し口はケーシングの正面カバーの両側部に設け、吐出通路は羽根車の両側に設けて羽根車から送り出される空気を両側部の各吹き出し口に送り込むようにしたので、羽根車の外周からの距離が次第に増大するスクロール壁の角度範囲は９０度程度の小さいものとなる。これによりスクロール壁における羽根車の外周からの距離の増大が減少するので、このスクロール壁を含む空気清浄器は、小形でコンパクトなものとなる。また両側に設けられた吐出通路は羽根車から送り出される空気を羽根車の回転方向の所定位置から両側部の各吹き出し口に送り込んで正面に向けて吹き出し、一方羽根車に空気を導入する吸入通路はケーシングの背面および側面の少なくとも何れか一方から空気を吸入するよう構成したので、清浄化されて吹き出し口から吹き出された空気の一部が直ちに空気吸入口から吸い込まれことはなくなり、これにより空気清浄化の効率を高めることができる。
【００１７】
遠心ファンの吸入側の直前を覆う集塵フィルタを設けてこの集塵フィルタと正面カバーの中央部内面との間に吸入通路を形成し、正面カバーの両側部に形成した吹き出し口の内側となる吐出通路の末端部に脱臭フィルタを設けた空気清浄機によれば、脱臭フィルタは集塵フィルタの両側に配設されてこの両者が重なることはなく、その分だけケーシングの厚さが減少するので、空気清浄器は一層小形でコンパクトなものとなる。
【００１８】
脱臭フィルタは光触媒を用いたものとし、脱臭フィルタに紫外線を照射する紫外線照射器は吐出通路の末端部の手前側となる吐出通路内に設けた空気清浄機によれば、光触媒は臭いおよび有害ガスを分解する能力が比較的高いので脱臭および有害ガス分解の効果を高めることができ、しかも紫外線照射器は干渉する部材が存在しない吐出通路内に設けられるので、紫外線照射器を設けるためにケーシングを広げる必要はない。
【００１９】
脱臭フィルタを、正面に向かう方向と平行に配設された小さい通路幅を有する多数のセル通路を備えたハニカム構造とした空気清浄機によれば、吐出通路を通った空気は、脱臭フィルタのハニカム構造を通ることにより整流されて吹き出し口から吹き出される。これにより吹き出し口から吹き出される空気流は正面に向かう指向性が向上して横に広がることが少なくなるので、清浄化されて吹き出し口から吹き出された空気の一部が直ちに空気吸入口から吸い込まれことは一層少なくなる。またこの空気清浄機を互いに直交する２つの壁により形成される部屋の隅に設置した場合でも、空気流が横に広がることが少ないので、そのような空気流が横に位置する壁に当たってこれを汚すことも少なくなる。
【００２０】
吸入通路は、ケーシングの背面に形成した第１の空気吸入口と側面に形成した第２の空気吸入口の両方から互いに異なる場所の空気を吸入するものとし、吸入通路の一部に各空気吸入口から吸入される空気量の比率を変更するシャッタを設けた空気清浄機によれば、必要に応じてシャッタを調整して空気清浄機を適切な運転状態に切り換えることができる。
【００２１】
また、請求項６の発明によれば、中央部に遠心ファンの羽根車が配設された吐出通路は、羽根車の回転軸線を挟んで対称に配置されて羽根車の外周からの距離が羽根車の回転方向に沿って次第に増大する１対のスクロール壁により形成されているので、羽根車の外周からの距離が次第に増大するスクロール壁の角度範囲は９０度程度の小さいものとなる。これによりスクロール壁における羽根車の外周からの距離の増大が減少するので、このスクロール壁を含む空気清浄器は、小形でコンパクトなものとなる。さらに吐出通路を形成するスクロール壁の一部は、羽根車の回転軸線方向から見た状態において、ケーシング内の所定の長方形領域の輪郭に接するように配置し、また羽根車の略接線方向に延びて吹き出し口に導かれる吐出通路の各先端部の形状は、羽根車の回転軸線方向から見て、長方形領域の輪郭と実質的に一致させたので、必要な吐出通路の大きさに対する長方形領域の大きさは最小となり、空気清浄機のコンパクト性が向上する。
【００２２】
所定の長方形領域を、ケーシングの外側板により規定される長方形領域とした空気清浄機によれば、必要な吐出通路の大きさに対する外側板により定められるケーシングの大きさは最小となり、空気清浄機のコンパクト性は確実に向上する。
【００２３】
羽根車の回転軸線方向から見て長方形領域内の吐出通路以外の領域に、空気清浄機の作動を制御する制御装置と吸入通路の少なくとも何れか一方を配設するようにした空気清浄機によれば、制御装置または吸入通路を設けることにより空気清浄機のコンパクト性が阻害されることはない。
【００２４】
【発明の実施の形態】
以下に、図１〜図３に示す実施の形態により、本発明による空気清浄機の説明をする。この実施の形態の空気清浄機は、ケーシングＡと、その内部の中央部に設けられた遠心ファン２６を備えている。ケーシングＡ内には、ケーシングＡの２つの異なる位置に設けられた第１および第２の空気吸入口１２，１３から吸入した空気を遠心ファン２６に供給する第１および第２の吸入通路Ｃ１，Ｃ２と、遠心ファン２６から送り出される空気をケーシングＡの正面の両側部に設けた吹き出し口２１に導く２つの吐出通路Ｂが形成されている。２つの吸入通路Ｃ１，Ｃ２には遠心ファン２６の吸入側の直前となる位置に集塵フィルタ２７が設けられ、各吐出通路Ｂの末端部には脱臭フィルタ２８が設けられている。また第１の空気吸入口１２に連通される吸入通路Ｃ１の一部には、各空気吸入口１２，１３から吸入される空気量の比率を変更するシャッタ３０が設けられている。
【００２５】
図１〜図３に示すように、ケーシングＡは、何れも合成樹脂成形品であるケーシング本体１０と、その正面側に設けられる中間カバー１５と、この２部材１０，１５の正面側を覆う正面カバー２０を、分離可能に一体的に連結したものである。この実施の形態の使用状態では、図１は水平方向から見たケーシング本体１０の正面図であり、図２は下から上に向かって見たケーシングＡ全体の断面図であるが、以下の説明では便宜上、図２における上下を上下として説明する。
【００２６】
主として図１および図２に示すように、ケーシング本体１０は、上側が開いた横長の長方形の箱状で、内面の四辺の上下方向略中間部には、ほゞ一定幅の段部１０ａが形成されている。この段部１０ａより下側となるケーシング本体１０の外側板１０ｂの内側には、ケーシング本体１０の底板から立ち上がる板状部分により、上下１対のスクロール壁１１ａ，１１ｂが羽根車２６ａの回転軸線を挟んで点対称に形成されている。各スクロール壁１１ａ，１１ｂは、図１に示すように、遠心ファン２６の羽根車２６ａに最も接近したタング部１１ｃから羽根車２６ａの回転方向（矢印Ｒ参照）に沿って移動するにつれて遠心ファン２６の羽根車２６ａの外周からの距離が次第に増大する形状であり、各スクロール壁１１ａの先端は段部１０ａの下側となるケーシング本体１０の左右の外側板１０ｂに連結されている。またタング部１１ｃからスクロール壁１１ａ，１１ｂと反対側に延びる延長部分１１ｄは、ケーシング本体１０の左右の外側板１０ｂと平行に延びて前後の外側板１０ｂに連結されている。従って各スクロール壁１１ａ，１１ｂにより形成される各吐出通路Ｂは、羽根車２６ａの所定位置から羽根車２６ａの略接線方向に両側に延び、各吹き出し口２１側となる各先端部はケーシング本体１０の外側板１０ｂに当たり、羽根車２６ａの回転軸線方向と平行になるように曲がっている。このように吐出通路Ｂの各先端部はケーシング本体１０の外側板１０ｂにより形成されているので、この部分の形状は、羽根車２６ａの回転軸線方向から見て、ケーシングＡの外側板１０ｂにより規定される長方形領域の輪郭と実質的に一致したものとなる。またスクロール壁１１ａ，１１ｂの一部は、ケーシングＡの外側板１０ｂ、従って上述した長方形領域の輪郭に接するように配置されている。
【００２７】
中間カバー１５は、主として図２に示すように、途中に支持段部１７が形成された中央部の四角い中央凹部１６よりも外側となる周辺部が、ケーシング本体１０の段部１０ａとスクロール壁１１ａ，１１ｂの上面に当接して支持され、各外縁はケーシング本体１０の上縁の内面に係合されている。この四角い中央凹部１６の底面の中央には大きな丸い開口１６ａが形成され、この中央凹部１６には放射方向および円周方向の多数の支持桟を介して、円形の支持カバー１６ｂが開口１６ａと同心に支持されている。遠心ファン２６のモータ２６ｂはブラケット（図示省略）を介してこの支持カバー１６ｂに同心に取り付けられ、このモータ２６ｂのモータ軸の下端には、騒音防止のためのダンパを介して羽根車２６ａが取り付けられている。開口１６ａと支持カバー１６ｂの間の多数の支持桟が設けられた環状の隙間が遠心ファン２６の吸入口を形成している。
【００２８】
中間カバー１５には、図１にも二点鎖線で示すように、後述する正面カバー２０の両側（図１において右上と左下）に形成される各吹き出し口２１と対応する位置に長方形の吐出口１８が形成されている。図１において左側の吐出口１８の上側および右側の吐出口１８の下側には、段部１０ａおよびスクロール壁１１の上面に当接される棚板１９が形成されている（左側のものを図２に示す）。中間カバー１５をケーシング本体１０に取り付けた状態では、両スクロール壁１１ａ，１１ｂの間の空間の上側の大部分は中央凹部１６の下面と棚板１９により閉じられ、残る部分は吐出口１８に連通される。このスクロール壁１１ａ，１１ｂおよび吐出口１８により、遠心ファン２６の両側に設けられて羽根車２６ａから送り出される空気を各吹き出し口２１に導く１対の吐出通路Ｂが形成される。
【００２９】
前述した遠心ファン２６の吸入口が形成される中間カバー１５の中央凹部１６の底面より多少上側に位置する支持段部１７には、吸入口を覆うように四角い板状の集塵フィルタ２７が載置されてクリップ（図示省略）などにより離脱可能に係止されている。この集塵フィルタ２７の素材は、濾紙、不織布、連続気泡発泡体など任意である。図１において左上となる中間カバー１５の棚板１９には、図２に示すように、ケーシング本体１０の底板に形成した第１の空気吸入口１２と対応する位置に、下向きのフランジ１９ｂが形成された導入穴１９ａが設けられている。このフランジ１９ｂの外周には筒体２５の内面２５ａの上部が嵌合され、この筒体２５の内側と導入穴１９ａを介してこれと連なる上部の空間は、外気を集塵フィルタ２７を通って遠心ファン２６に導入する第１吸入通路Ｃ１を形成している。
【００３０】
中間カバー１５の棚板１９に形成された丸い導入穴１９ａには、開口３３を設けた筒部３１とその上端を閉じる天板部３２よりなり、つまみ３０ａにより上下に移動できるシャッタ３０が挿入されている。開口３３には縦および円周方向の桟よりなる防虫用のネットＮが形成されている。このシャッタ３０は、図２に示すように引き上げた状態では、外気を遠心ファン２６に導入する第１吸入通路Ｃ１を開き、天板部３２の外縁部が棚板１９の上面に当接する位置まで押し込んだ状態では第１吸入通路Ｃ１を閉じるものである。
【００３１】
正面カバー２０は、図１〜図３に示すように、ケーシング本体１０および中間カバー１５の上側全体を覆うもので、その両側（図１において右上と左下）には、多数の縦桟および横桟が設けられた長方形の吹き出し口２１が形成されている。板状の集塵フィルタ２７は遠心ファン２６の吸入口と正面カバー２０の中央部の間に位置しており、正面カバー２０の内面から下方に突出する仕切板２２は、集塵フィルタ２７の上面に当接して正面カバー２０の内面と集塵フィルタ２７の上面の間の空間を第１吸入通路Ｃ１の一部と第２吸入通路Ｃ２に分離するものである。ケーシング本体１０の前後の外側板１０ｂの段部１０ａ付近に形成された多数のスリットよりなる第２の空気吸入口１３は第２吸入通路Ｃ２に連通され、この第２の空気吸入口１３から吸入した室内の空気は第２吸入通路Ｃ２から集塵フィルタ２７を通って遠心ファン２６に導入される。
【００３２】
ケーシング本体１０の底板の第１の空気吸入口１２に連通される第１吸入通路Ｃ１の一部は、図１において左上部分となるスクロール壁１１ａと、段部１０ａより下側となるケーシング本体１０の外側板１０ｂの隅角部の間に形成される三角形の空間部に設けられている。第１の空気吸入口１２のフランジ１２ａの外周には、発泡ポリスチロール製の筒体２５が、その内面２５ａの下部の小径部が嵌合されて取り付けられ、筒体２５の上端面は段部１０ａとほゞ同じ高さとなっている。また図１において右下となる中間カバー１５の棚板１９上には、ケーシング本体１０の外側板１０ｂの隅角部の間に形成される三角形の空間部に、この空気清浄機の作動を制御する制御装置２９が設けられている。すなわち、第１吸入通路Ｃ１の一部と制御装置２９は、羽根車２６ａの回転軸線方向から見て、前述した長方形領域内の吐出通路Ｂ以外の領域に、配設されている。
【００３３】
各吐出通路Ｂの末端部には、正面カバー２０の吹き出し口２１を形成した部分とほゞ平行に、脱臭および有害ガスの除去を行う脱臭フィルタ２８が設けられている。この実施の形態の脱臭フィルタ２８は光触媒を用いたもので、触媒と活性炭とバインダを混入したものを、互いに平行に配置された小さい通路幅を有する多数のセル通路を形成するように押出成形してから所定の厚さに切断したハニカム構造のもので、通路幅は厚さよりもかなり小さくなっている。この脱臭フィルタ２８は、各セル通路が正面に向かう方向と平行になるように、各吐出通路Ｂの末端部の段部に取り付けられる。なおこの実施の形態のセル通路の断面形状は小さい正方形であるが、六角形のものでもよいしその他の断面形状のものでもよい。各脱臭フィルタ２８よりも手前側（遠心ファン２６側）となる吐出通路Ｂ内には、この脱臭フィルタ２８を活性化させるための紫外線照射器２８ａが設けられている。この紫外線照射器２８ａは、細長い基板上の一部に２個のＬＥＤを設けたものを透明な合成樹脂チューブ内に封入したものである。
【００３４】
この空気清浄機は、図２に示すように、住宅などの建物の壁４０に半分埋め込むように取り付けて使用するものである。壁４０の内壁板４０ａには、空気清浄機のケーシング本体１０の段部１０ａより下側の部分を挿入可能な取付開口４０ｃを形成し、ケーシング本体１０は段部１０ａの外面が内壁板４０ａの表面に当接するようにして内壁板４０ａに取り付けられる。外壁板４０ｂには第１の空気吸入口１２と対応する位置に穴４０ｄが形成され、この穴４０ｄを通して外側から挿入された吸入筒４１の先端が第１の空気吸入口１２に連結されて、第１吸入通路Ｃ１は外気に連通される。
【００３５】
空気清浄機の換気運転はシャッタ３０を開いた状態で行う。この状態では、第１吸入通路Ｃ１を介してケーシング本体１０の背面の第１の空気吸入口１２から吸入された外気と、第２吸入通路Ｃ２を介してケーシング本体１０側面の第２の空気吸入口１３から吸入された室内空気は、何れも集塵フィルタ２７から吸入口を通って遠心ファン２６に吸入される。遠心ファン２６への吸入口を形成する開口１６ａは四角い板状の集塵フィルタ２７およびこれを支持する支持段部１７よりも小さい円形であるが、支持段部１７は中央凹部１６の高さ方向中間に形成されており、これにより集塵フィルタ２７の下面と中央凹部１６の底面の間には相当な空間が形成されるので、空気は開口１６ａの外側となる集塵フィルタ２７の周辺部をも通って吸入され、集塵フィルタ２７はほゞ全面が有効に使用される。羽根車２６ａから送り出された空気はスクロール壁１１ａ，１１ｂにより案内されて、両側の吐出通路Ｂ内に入り、全て脱臭フィルタ２８を通って、正面カバー２０の両側部に形成された吹き出し口２１から正面に向けて吹き出される。各吸入通路Ｃ１，Ｃ２からの各空気は、集塵フィルタ２７を通る際に塵埃が除去され、脱臭フィルタ２８を通る際に脱臭および有害ガスの除去がなされることにより清浄化される。
【００３６】
循環運転はシャッタ３０を閉じた状態で行い、この状態では第２吸入通路Ｃ２を介してケーシング本体１０側面の第２の空気吸入口１３から吸入された室内空気だけが集塵フィルタ２７を通って遠心ファン２６の羽根車２６ａにより吸入される。しかしその他の作用は換気運転の場合と同じである。
【００３７】
上述した実施の形態では、遠心ファン２６はケーシング本体１０の中央凹部１６の中央に設け、吹き出し口２１は正面カバー２０の両側部に設け、吐出通路Ｂは遠心ファン２６の両側に設けて羽根車２６ａから送り出される空気を両側部の各吹き出し口２１に送り込むようにしたので、羽根車２６ａの外周からの距離が次第に増大するスクロール壁１１ａ，１１ｂの角度範囲は９０度程度の小さいものとなる。これによりスクロール壁１１ａ，１１ｂにおける羽根車２６ａの外周からの距離の最大値が減少するのでスクロール壁１１ａ，１１ｂは小形化され、このスクロール壁１１ａ，１１ｂを含む空気清浄器のケーシングＡは、小形でコンパクトなものとなる。また吐出通路Ｂを通った空気は正面カバー２０の両側部に形成した吹き出し口２１から正面に向けて吹き出され、一方換気用の外気は第１吸入通路Ｃ１を介してケーシング本体１０背面の第１の空気吸入口１２から遠心ファン２６に導入され、循環用の室内空気は第２吸入通路Ｃ２を介してケーシング本体１０側面の第２の空気吸入口１３から遠心ファン２６に導入されるので、清浄化されて吹き出し口２１から吹き出された空気の一部が直ちに第１および第２の空気吸入口１２，１３（特に第２の空気吸入口１３）から遠心ファン２６に吸い込まれことはなくなり、これにより空気清浄化の効率が低下することはなくなる。
【００３８】
またこの実施の形態では、中間カバー１５の中央凹部１６に集塵フィルタ２７を設けてこの集塵フィルタ２７と正面カバー２０の中央部内面との間に吸入通路Ｃ１，Ｃ２を形成し、遠心ファン２６から送り出される空気を正面カバー２０の両側部に形成した吹き出し口２１に導く各吐出通路Ｂの末端部に脱臭フィルタ２８を設けたので、脱臭フィルタ２８は集塵フィルタ２７の両側に配設されてこの両者２７，２８が重なることはなく、その分だけケーシングＡの厚さが減少するので、空気清浄器は一層小形でコンパクトなものとなる。
【００３９】
またこの実施の形態では、脱臭フィルタ２８は光触媒を用いたものとし、脱臭フィルタ２８に紫外線を照射する紫外線照射器２８ａは吐出通路Ｂの末端部の手前側となる吐出通路Ｂ内に設けている。光触媒は臭いおよび有害ガスを分解する能力が比較的高いので、このようにすれば脱臭および有害ガス分解の効果を高めることができる。しかも紫外線照射器２８ａは干渉する部材が存在しない吐出通路Ｂ内に設けられるので、紫外線照射器２８ａを設けるためにケーシングＡを広げる必要はない。しかしながら本発明の脱臭フィルタは光触媒を用いたものに限られるわけではなく、常温で脱臭およびフォルムアルデヒドなどの有害ガスを分解する常温触媒を使用することもできる。
【００４０】
またこの実施の形態では、脱臭フィルタ２８は小さい通路幅を有する多数のセル通路を有するハニカム構造のものとして、各セル通路が正面に向かう方向と平行になるように各吐出通路Ｂの末端部に取り付けており、このようにすれば吐出通路Ｂを通った空気は、脱臭フィルタ２８のハニカム構造を通ることにより整流されて吹き出し口２１から吹き出される。これにより吹き出し口２１から吹き出される空気流は正面に向かう指向性が向上して横に広がることが少なくなるので、清浄化されて吹き出し口２１から吹き出された空気の一部が直ちに第１および第２の空気吸入口１２，１３（特に第２の空気吸入口１３）から吸い込まれことは一層少なくなる。またこの空気清浄機を互いに直交する２つの壁により形成される部屋の隅に設置した場合でも、空気流が横に広がることが少ないので、そのような空気流が横に位置する壁に当たってこれを汚すことも少なくなる。しかしながら本発明はハニカム構造の担持体を使用しない脱臭フィルタを用いて実施することも可能である。
【００４１】
またこの実施の形態では、第１吸入通路Ｃ１はケーシング本体１０の背面に形成した第１の空気吸入口１２から外気を吸入し、第２吸入通路Ｃ２はケーシング本体１０の側面に形成した第２の空気吸入口１３から室内空気を吸入して、それぞれ遠心ファン２６に供給するようにし、第１吸入通路Ｃ１に設けたシャッタ３０を開閉しまたは開度を変えることにより、各空気吸入口１２，１３から吸入される外気と室内空気の吸入量の比率を変更するようにしている。しかしながら本発明は、このシャッタ３０を省略して実施することも可能である。なおシャッタ３０を備えたものでは、シャッタ３０を閉じれば第１の空気吸入口１２から吸入される外気の量は０となり、シャッタ３０を全開すれば第２の空気吸入口１３から吸入される室内空気の量に対する第１の空気吸入口１２から吸入される外気の量の比率は最大となる。シャッタ３０を全開した場合の室内空気と外気の比率は正面カバー２０に設ける仕切板２２の位置を異ならせて両吸入通路Ｃ１，Ｃ２の流路抵抗の比率を変えることにより変化させることができる。この仕切板２２も省略することは可能である。
【００４２】
さらにこの実施の形態では、ケーシングＡの中央部に設けた遠心ファン２６の羽根車２６ａの回転軸線を挟んで対称に配置されて羽根車２６ａの外周からの距離が該羽根車２６ａの回転方向に沿って次第に増大する１対のスクロール壁１１ａ，１１ｂにより吐出通路Ｂを形成し、各スクロール壁１１ａ，１１ｂはその一部がケーシングＡの外側板１０ｂにより規定される長方形領域の輪郭に接するように配置し、吐出通路Ｂの各先端部はケーシング本体１０の外側板１０ｂにより形成している。このようにすれば必要な吐出通路Ｂの大きさに対する外側板１０ｂにより定められるケーシングＡの大きさは最小となり、空気清浄機のコンパクト性が向上する。
【００４３】
またこの実施の形態では、遠心ファン２６の羽根車２６ａの回転軸線方向から見て長方形となるケーシング本体１０の外側板１０ｂの、上述した回転軸線を挟んで対向する一方の各隅角部付近に各吹き出し口２１を配設し、同じ回転軸線を挟んで対向する他方の各隅角部と各スクロール壁１１ａ，１１ｂの間に必然的に生じる略三角形の領域に、空気清浄機の作動を制御する制御装置２９および吸入通路Ｃ１，Ｃ２を配設しており、このようにすれば制御装置２９および吸入通路Ｃ１，Ｃ２を設けるための特別な空間を必要としないので、空気清浄機のコンパクト性が阻害されることはない。
【図面の簡単な説明】
【図１】本発明による空気清浄機の一実施形態のケーシング本体を示す正面図である。
【図２】上述した実施形態の組立状態における、図１の２−２線に沿った全体断面図である。
【図３】上述した実施形態の組立状態における全体斜視図である。
【符号の説明】
１０ｂ…外側板、１１ａ，１１ｂ…スクロール壁、１２，１３…空気吸入口（第１の空気吸入口、第２の空気吸入口）、２０…正面カバー、２１…吹き出し口、２６…遠心ファン、２６ａ…羽根車、２７…集塵フィルタ、２８…脱臭フィルタ、２８ａ…紫外線照射器２８ａ、３０…シャッタ、Ａ…ケーシング、Ｂ…吐出通路、Ｃ１，Ｃ２…吸入通路（第１吸入通路、第２吸入通路）。
【図１】
2004160374.tif 000003
【図２】
2004160374.tif 000004
【図３】
2004160374.tif 000005